(57)【要約】      （修正有）【課題】ポリマ製ブラダエレメントを含むソール構造体を備える履物を提供する。【解決手段】流体で満たされた内側キャビティ７２を取り囲んでいるポリマ製ブラダエレメント７０を含むソール構造体であって、ブラダエレメント７０は横断エッジ２６とほぼ平行に外側方３０から内側方３２まで延在する溝１００が形成された面１０２を有し、溝１００の位置においては厚さＴ１が薄くつくられている。長手方向に延びるブラダエレメント７０の中央線に沿った第１の長さであってブラダエレメント７０の長手方向の端部から溝１００までの第１の長さが、第１の履物サイズに対応し、ブラダエレメント７０の長手方向の中央線に沿った第２の長さであって方向の端部から横断エッジ２６までの第２の長さが、第１の履物サイズよりも長い第２の履物サイズに対応する。【選択図】図６
0003220628.tif 000002
【実用新案登録請求の範囲】
【請求項１】
流体で満たされた内側キャビティを囲繞しているポリマ製ブラダエレメントを含むソール構造体を備える履物において、
上記ポリマ製ブラダエレメントは、
上記流体で満たされた内側キャビティを取り囲む周縁フランジであって、該ブラダエレメントの外側方から内側方まで横方向に延びている横断エッジを含む周縁フランジと、
上記横断エッジとほぼ平行に上記外側方から内側方まで延在する溝が形成された面と、
を有し、
上記溝の位置において厚さが減少しており、
長手方向に延びる上記ブラダエレメントの中央線に沿った第１の長さであって、上記ブラダエレメントの長手方向の先端から上記溝までの第１の長さと、
上記長手方向に延びる上記ブラダエレメントの中央線に沿った第２の長さであって、上記長手方向の先端から上記横断エッジまでの第２の長さと、
について、
第１の長さは第１の履物サイズに対応し、第２の長さは第１の履物サイズよりも長い第２の履物サイズに対応することを特徴とする、
履物。
【請求項２】
履物アッパーであって、上記横断エッジが該履物アッパーの中足領域に配置されるように上記ソール構造体が該履物アッパーに固定されている、履物アッパーをさらに備える、請求項１に記載の履物。
【請求項３】
上記ソール構造体は踵ソール構造体であり、
該履物は、
履物アッパーと、
上記履物アッパーに固定された前足ソール構造体と、
をさらに備え、
上記横断エッジが上記前足ソール構造体の後側エッジに当接するとともに上記横断エッジと上記後側エッジの両方が上記履物アッパーの中足領域に配置されるように、上記踵ソール構造体が上記履物アッパーに固定されていることを特徴とする、請求項１に記載の履物。
【請求項４】
上記ソール構造体は前足ソール構造体であり、
該履物は、
履物アッパーと、
上記履物アッパーに固定された踵ソール構造体と、
をさらに備え、
上記横断エッジと上記踵ソール構造体の前側エッジとが当接するとともに上記横断エッジと上記前側エッジの両方が上記履物アッパーの中足領域に配置されるように、上記前足ソール構造体が上記履物アッパーに固定されていることを特徴とする、請求項１に記載の履物。
【請求項５】
上記横断エッジは、上記外側方よりも上記内側方において、より前方に位置していることを特徴とする、請求項１〜４のいずれかに記載の履物。
【請求項６】
上記ブラダエレメントは、
第１のポリマ製シートと、
上記周縁フランジの位置で第１のポリマ製シートに結合された第２のポリマ製シートと、
を含み、
第１のポリマ製シートと第２のポリマ製シートの少なくとも一部が熱可塑性ポリウレタンであることを特徴とする、請求項１〜５のいずれかに記載の履物。
【請求項７】
上記溝は第１の溝であり、
上記面は、第１の溝とほぼ平行に上記外側方から内側方まで延在する第２の溝を有し、
上記ポリマ製ブラダエレメントは、上記長手方向に延びる上記ブラダエレメントの中央線に沿った第３の長さであって上記長手方向の先端から第２の溝までの第３の長さを有し、第３の長さは、第１の履物サイズよりも短い第３の履物サイズに対応することを特徴とする、請求項１〜６のいずれかに記載の履物。
【請求項８】
履物アッパーと、
上記流体で満たされた内側キャビティよりも低い位置で上記ブラダエレメントに固定され、地面との係合面を有するアウトソールと、
をさらに備え、
上記周縁フランジは上記履物アッパーに固定されており、
上記流体が充填された内側キャビティは上記周縁フランジよりも低い位置に延在し、
上記溝が形成された面は、上記流体で満たされた内側キャビティの分だけソール構造体の地面との係合面からずれた位置にある、上記ブラダエレメントにおける地面に面している面であることを特徴とする、請求項１に記載の履物。
【請求項９】
履物の製造方法において、
複数の実質的に同じソール構造体からなるインベントリから第１のソール構造体を選択するステップであって、該複数の実質的に同じソール構造体の各々が、流体で満たされた内側キャビティを囲繞しているポリマ製ブラダエレメントを含み、該ポリマ製ブラダエレメントは、上記流体で満たされた内側キャビティを取り囲む周縁フランジであって該ブラダエレメントの外側方から該ブラダエレメントの内側方まで延びている横断エッジを含む周縁フランジ、及び上記横断エッジとほぼ平行に上記外側方から内側方まで延在する溝を有し、上記溝の位置において厚さが減少している、選択するステップと、
上記溝に沿って第１のソール構造体をトリムするステップと、
上記トリムの後に、上記第１のソール構造体を第１の履物アッパーに取り付けるステップと、
上記インベントリから第２のソール構造体を選択するステップと、
第２のソール構造体を上記溝に沿ってトリムすることなく第２の履物アッパーに取り付けるステップと、
を含み、
第１の履物アッパーと第１のソール構造体は第１の履物サイズを有し、第２の履物アッパーと第２のソール構造体は、第１の履物サイズよりも大きい第２の履物サイズを有することを特徴とする、製造方法。
【請求項１０】
第１のソール構造体は、第１のアッパーの踵領域に取り付けられた第１の踵ソール構造体であり、
第１のソール構造体のブラダエレメントは第１の踵ブラダエレメントであり、
第２のソール構造体は第２のアッパーの踵領域に取り付けられた第２の踵ソール構造体であり、
第２のソール構造体のブラダエレメントは第２の踵ブラダエレメントであり、
該製造方法は、
第１の前足ソール構造体の後側エッジと第１の踵ブラダエレメントの横断エッジとを隣接させるように、第１の踵ソール構造体の前方で第１のアッパーに第１の前足ソール構造体を取り付けるステップと、
第２の前足ソール構造体の後側エッジと第２の踵ブラダエレメントの横断エッジとを隣接させるように、第２の踵ソール構造体の前方で第２のアッパーに第２の前足ソール構造体を取り付けるステップと、
をさらに含む、請求項９に記載の製造方法。
【請求項１１】
第１の前足ソール構造体と第２の前足ソール構造体は、複数の実質的に同じ前足ソール構造体からなるインベントリから選択されたものであり、これらの各々が、流体で満たされた内側キャビティを囲繞しているポリマ製前足ブラダエレメントを含み、
上記ポリマ製前足ブラダエレメントは、該前足ブラダエレメントの流体で満たされたキャビティを取り囲む周縁フランジであって該前足ブラダエレメントの外側方から内側方まで延びている横断エッジを含む周縁フランジを有し、
第１の前足ソール構造体の上記前足ブラダエレメントの上記流体で満たされた内側キャビティは、第１の踵ソール構造体の上記踵ブラダエレメントの上記流体で満たされた内側キャビティから隔離されており、
第２の前足ソール構造体の上記前足ブラダエレメントの上記流体で満たされた内側キャビティは、第２の踵ソール構造体の上記踵ブラダエレメントの上記流体で満たされた内側キャビティから隔離されていることを特徴とする、請求項１０に記載の製造方法。
【請求項１２】
第１の踵ブラダエレメントの上記横断エッジに対して第１の前足ソール構造体の後側エッジを当接させるステップと、
第２の踵ブラダエレメントの上記横断エッジに対して第２の前足ソール構造体の後側エッジを当接させるステップと、
をさらに含む、請求項１０に記載の製造方法。
【請求項１３】
第１のソール構造体は、第１のアッパーの前足領域に取り付けられた第１の前足ソール構造体であり、
第１のソール構造体の上記ブラダエレメントは、第１の前足ブラダエレメントであり、
第２のソール構造体は、第２のアッパーの前足領域に取り付けられた第２の前足ソール構造体であり、
第２のソール構造体の上記ブラダエレメントは、第２の前足ブラダエレメントであり、
該製造方法は、
第１の踵ソール構造体の前側エッジと第１の前足ブラダエレメントの上記横断エッジとを隣接させるように、第１の前足ソール構造体の後方で第１のアッパーに第１の踵ソール構造体を取り付けるステップと、
第２の踵ソール構造体の前側エッジが第２の前足ブラダエレメントの上記横断エッジに隣接する様に、第２の前足ソール構造体の後方で第２のアッパーに第２の踵ソール構造体を取り付けるステップと、
をさらに含む、請求項９に記載の製造方法。
【請求項１４】
上記溝は第１の溝であり、
上記ポリマ製ブラダエレメントの面が、第１の溝及び上記横断エッジとほぼ平行に上記外側方から内側方まで延在する第２の溝を有し、
該方法は、
複数のソール構造体のインベントリから第３のソール構造体を選択するステップと、
第３のソール構造体の第２の溝に沿ってトリムするステップと、
第３の履物アッパーに第３のソール構造体を取り付けるステップと、
をさらに含み、
第３の前足アッパーと第３のソール構造体は、第１の履物サイズよりも短い第３の履物サイズを有することを特徴とする、請求項９〜１３のいずれかに記載の製造方法。
【請求項１５】
第２の履物サイズは、米国の履物サイズの等級で第１の履物サイズよりも半サイズだけ大きいことを特徴とする、請求項９に記載の製造方法。
【請求項１６】
上記ブラダエレメントのモールドのモールドキャビティ内にポリマ材料を配置するステップであって、上記モールドは突起のあるモールド面を有する、配置するステップと、
上記突起が上記ポリマ材料に溝を形成するように、上記モールド面の形状に上記ポリマ材料を整合させるステップと、
をさらに含む、請求項９〜１５のいずれかに記載の製造方法。
【請求項１７】
上記ポリマ材料は第１及び第２のポリマシートを含み、
上記整合させるステップは、
上記ポリマシートを加熱し、
上記ポリマシートを減圧することを含む、
請求項１６に記載の製造方法。
【請求項１８】
上記周縁フランジにおいて上記複数のシートを互いに熱的に結合させることをさらに含む、請求項１７に記載の製造方法。
【請求項１９】
上記ブラダエレメントを膨張させることをさらに含む、請求項１８に記載の製造方法。
【請求項２０】
第１のソール構造体は、第１のアッパーの前足領域に取り付けられた第１の前足ソール構造体であり、
第２のソール構造体は、第２のアッパーの前足領域に取り付けられた第２の前足ソール構造体であり、
該製造方法は、
第１の前足ソール構造体の後側エッジと第１の踵ソール構造体の前側エッジとを隣接させるように、第１の前足ソール構造体の後方で第１のアッパーに第１の踵ソール構造体を取り付けるステップと、
第２の前足ソール構造体の後側エッジと第２の踵ソール構造体の前側エッジとを隣接させるように、第２の前足ソール構造体の後方で第２のアッパーに第２の踵ソール構造体を取り付けるステップと、
をさらに含み、
第１の踵ソール構造体と第２の踵ソール構造体とは実質的に同じであることを特徴とする、請求項９に記載の製造方法。
【考案の詳細な説明】
【技術分野】
【０００１】
本考案は、概して、履物、及びこれを製造する方法に関する。なお、本願は、２０１６年３月１５日に出願された米国仮出願第６２／３０８，２８３号（この出願の全体が本願の参照となる）を基礎とする優先権の利益を主張する。
【背景技術】
【０００２】
適切なフィット感を確保するために、履物は、１サイズ（寸法）大きくなるときの増分を比較的小さくして提供されている。履物は概して、アッパーと、アッパーの下にあるソール構造体を備える。ソール構造体とアッパーは共に、個々の寸法に応じて製造される。
【考案の概要】
【考案が解決しようとする課題】
【０００３】
各サイズに応じて別個の金型等を用意しなければならないことが製造コストを増大させている。履物のそのようなサブ構成要素の様々な寸法をつくってストックするのに必要な運搬と保管スペースにかかるコストが、製造コストを増大させている。
【課題を解決するための手段】
【０００４】
添付の図面を参照しつつ本考案を実施するための形態についての以下の詳細な説明を参照することにより、本考案についてよく理解されよう。
【図面の簡単な説明】
【０００５】
【図１】第１の実施例における履物の底面を概略的に示す図。
【図２】図１に示した履物の外側方を概略的に示す図。
【図３】図１に示した履物の前足ソール構造体の底面を概略的に示す図。
【図４】図１に示した履物の踵ソール構造体の底面を概略的に示す図。
【図５】図３に示した前足ソール構造体のブラダエレメントを概略的に示す斜視図。
【図６】図４に示した踵ソール構造体のブラダエレメントを概略的に示す斜視図。
【図７】図４に示した踵ソール構造体のインベントリを概略的に示す図。
【図８】溝に沿ってトリムした（切り取った）後の、図７に示したインベントリから選択された第１の踵ソール構造体を概略的に示す図。
【図９】図７に示したインベントリから選択された第２の踵ソール構造体を概略的に示す図。
【図１０】第１の履物アッパーに取り付けられた図８の第１の踵ソール構造体を概略的に示す図。
【図１１】第２の履物アッパーに取り付けられた図９の第２の踵ソール構造体を概略的に示す図。
【図１２】図１０に示した踵ソール構造体とアッパーを有する履物を概略的に示す図であって、アッパーに前足ソール構造体が取り付けられている。
【図１３】図１１に示した踵ソール構造体とアッパーを有する別のサイズの履物を概略的に示す図であって、アッパーに前足ソール構造体が取り付けられている。
【図１４】本考案の別の態様に応じた前足ソール構造体のインベントリを概略的に示す図。
【図１５】溝に沿ってトリムした後の、図１４に示したインベントリから選択された第１の前足ソール構造体を概略的に示す図。
【図１６】図１４に示したインベントリから選択された第２の前足ソール構造体を義略的に示す図。
【図１７】第１の履物アッパーに取り付けられた図１５の第１の前足ソール構造体を概略的に示す図。
【図１８】第２の履物アッパーに折り付けられた図１６の第２の前足ソール構造体を概略的に示す図。
【図１９】図１７に示した前足ソール構造体とアッパーを有する履物を概略的に示す図であって、アッパーに踵ソール構造体が取り付けられている。
【図２０】図１８に示した前足ソール構造体とアッパーを有する別のサイズの履物を概略的に示す図であって、アッパーに踵ソール構造体が取り付けられている。
【図２１】本考案の別の態様に応じた踵ソール構造体のインベントリを概略的に示す図。
【図２２】図２１に示したインベントリから選択され、第２の溝に沿ってトリムされた踵ソール構造体を概略的に示す図。
【図２３】図２１に示したインベントリから選択され、第１の溝に沿ってトリムされた他の踵ソール構造体を概略的に示す図。
【図２４】図２１に示したインベントリから選択された他の踵ソール構造体を概略的に示す図。
【図２５】第１の履物アッパーに取り付けられた図２２の踵ソール構造体を概略的に示す図。
【図２６】第２の履物アッパーに取り付けられた図２３の踵ソール構造体を概略的に示す図。
【図２７】第３の履物アッパーに取り付けられた図２４の踵ソール構造体を概略的に示す図。
【図２８】図２５に示した踵ソール構造体とアッパーを有する履物を概略的に示す図であって、アッパーに前足ソール構造体が取り付けられている。
【図２９】図２６に示した踵ソール構造体とアッパーを有する別のサイズの履物を概略的に示す図であって、アッパーに前足ソール構造体が取り付けられている。
【図３０】図２７に示した踵ソール構造体とアッパーを有する別のサイズの他の履物を概略的に示す図であって、アッパーに前足ソール構造体が取り付けられている。
【図３１】開いた状態の熱成形用モールドとポリマ製シートを拡大して概略的に示す図。
【図３２】閉じた状態の図３１に示した熱成形用モールドと、モールド面に整合したポリマ製シートとを概略的に示す図。
【考案を実施するための形態】
【０００６】
履物は、様々なサイズのものを製造するのに使用されるように構成されたソール構造体を備えることにより、製造上の汎用性が向上し、製造コストを抑えることができる。ソール構造体は、流体で満たされた内側キャビティを囲繞しているポリマ製ブラダエレメントを含む。ブラダエレメントは、流体で満たされた内側キャビティを取り囲む周縁フランジを有する。周縁フランジは、ブラダエレメントの外側方から内側方まで延びている横断エッジ（端縁）を有する。選択的に、横断エッジは、外側方よりも内側方において、より前方に位置しているとよい。
【０００７】
ブラダエレメントは、横断エッジと平行に外側方から内側方まで延在する溝が形成された面を有し、溝の位置において厚さが減少している。ブラダエレメントは、長手方向に延びるブラダエレメントの中央線に沿った第１の長さであって、ブラダエレメントの長手方向の先端から溝までの第１の長さを有する。ブラダエレメントは、長手方向に延びるブラダエレメントの中央線に沿った第２の長さであって、長手方向の先端から横断エッジまでの、より長い第２の長さを有する。第１の長さは第１の履物サイズに対応し、第２の長さは、第１の履物サイズよりも長い第２の履物サイズに対応する。
【０００８】
従って、ソール構造体は、溝に沿ってトリムすることにより第１の寸法の履物を製造するのに使用される場合もあれば、溝に沿ってトリムされないことにより、より長い第２の寸法を有する履物を製造するのに使用される場合もある。溝は、該溝に沿ってトリムされた場合のソール構造体を、より小さな履物サイズに正確に適合させ易くできるように構成されている。ブラダエレメントを有するような、流体で満たされた内側キャビティを有するソール構造体を等級別にすることによる独特な課題が生じる。閉塞された流体充填内側キャビティの完全性は妥協できるものではないからである。本明細書において、履物を「等級別にする」こと、又は履物を「等級別にする」方法は、様々なサイズの履物を製造する方法に関する。溝は、ブラダエレメント内の流体で満たされたキャビティのたいていは複雑な起伏を有する形状に干渉し或いは制限してしまうことのないように、配置されている。
【０００９】
いくつかの実施例においては、ソール構造体は、履物アッパーの中足領域に配置された横断エッジを有する履物アッパーに固定される。溝の位置でトリムすることにより、長さは変化しても幅の変化が比較的小さい中足領域のみにおいて、ソール構造体の形状に影響が及ぶ。この位置に溝を配置することにより、比較的小さな長さの変化について曲率が大きく変化してしまう前足領域と踵領域における形状の変化を有利に避けることができる。
【００１０】
いくつかの実施例においては、ソール構造体は踵ソール構造体であり、履物は、履物アッパーと、該履物アッパーに固定された前足ソール構造体とをさらに含む。そのような実施例においては、横断エッジと前足ソール構造体の後側エッジとが当接するとともに横断エッジと後側エッジの両方が履物アッパーの中足領域に配置されるように、踵ソール構造体が履物アッパーに固定される。
【００１１】
いくつかの実施例においては、ソール構造体は前足ソール構造体であり、履物は、履物アッパーと、該履物アッパーに固定された踵ソール構造体とをさらに含む。そのような実施例においては、横断エッジと踵ソール構造体の前側エッジとが当接するとともに横断エッジと前側エッジの両方が履物アッパーの中足領域に配置されるように、履物ソール構造体が履物アッパーに固定される。
【００１２】
ブラダエレメントは、第１のポリマ製シートと、周縁フランジの位置で第１のポリマ製シートに結合された第２のポリマ製シートとを含み得る。第１のポリマ製シートと第２のポリマ製シートの少なくとも一部が熱可塑性ポリウレタンであり得る。方法は、ブラダエレメントのモールドのモールドキャビティ内に、第１のポリマ製シートと第２のポリマ製シートなどのポリマ製材料を配置することを含む。モールドは、突起が形成されたモールド面を有する。方法は、ポリマ材料がモールド面に整合させるときに突起がポリマ製材料に溝を形成することを含む。これは、ポリマ製シートを加熱し、ポリマ製シートを減圧し、さらに、周縁フランジの位置で複数のシートを互いに熱接合させることを含み得る。そして、ブラダエレメントは、ガスなどの流体で内側キャビティを満たすために膨張され得る。
【００１３】
いくつかの実施例においては、ソール構造体に複数の溝が形成されていることにより、これらの溝が形成されたソール構造体を使用して、３つ以上の異なるサイズの履物を製造することが可能となる。例えば、ブラダエレメントの面は、第１の面とほぼ平行に外側方から内側方まで延びている第２の溝を有する。そのような実施例においては、ブラダエレメントは、長手方向に延びるブラダエレメントの中央線に沿った第３の長さであって長手方向の先端から第２の溝までの第３の長さを有し、第３の長さは、第１の履物サイズよりも短い第３の履物サイズに対応する。
【００１４】
いくつかの実施例においては、履物は、流体で満たされた内側キャビティよりも低い位置でブラダエレメントに固定され且つ地面との係合面を有するアウトソールを備える。流体で満たされた内側キャビティが周縁フランジよりも低い位置に延在するように、ブラダエレメントの周縁フランジは、履物アッパーに固定されている。溝が形成された面は、流体で満たされた内側キャビティの分だけソール構造体の地面との係合面からずれた位置にある、ブラダエレメントにおける地面に面している面である。溝は地面との係合面の一部ではないので、溝に沿ってブラダエレメントがトリムされたか否かに拘わらず、静止摩擦力に影響しない。さらに、中足領域における周縁フランジにあるので、ソール構造体のクッション応答性に悪影響を及ぼさない。
【００１５】
上述したようなソール構造体は、複数の実質的に同じソール構造体からなるインベントリから第１のソール構造体を選択することを含む、履物の製造方法を実現する。複数の実質的に同じソール構造体の各々が、流体で満たされた内側キャビティを取り囲んでいるポリマ製ブラダエレメントを含む。ポリマ製ブラダエレメントは、流体で満たされた内側キャビティを取り囲む周縁フランジを有するとともに、該ブラダエレメントの外側方から内側方まで延びている横断エッジを有する。ブラダエレメントはまた、横断エッジとほぼ平行に外側方から内側方まで延在する溝が形成された面を有し、溝の位置においては厚さが薄くつくられている。
【００１６】
方法は、ソール構造体が選択された後、溝に沿って第１のソール構造体をトリムし、トリムされた第１のソール構造体を第１の履物アッパーに取り付けることを含む。方法は、インベントリから第２のソール構造体を選択し、溝に沿ってトリムすることなく第２の履物アッパーに第２のソール構造体を取り付けることを含む。第１の履物アッパーと第１のソール構造体は第１の履物サイズに対応し、第２の履物アッパーと第２のソール構造体は、第１の履物サイズよりも大きい第２の履物サイズに対応する。例えば、米国の履物サイズの等級上で第２の履物サイズは、第１の履物サイズよりも半サイズ（１／２サイズ）だけ大きい。こうして、複数の同じソール構造体からなる同一のインベントリが、２つの互いに寸法の異なる履物を製造するために使用される。
【００１７】
いくつかの実施例においては、第１のソール構造体は第１のアッパーの踵領域に取り付けられた第１の踵ソール構造体であり、第１のソール構造体のブラダエレメントは第１の踵ブラダエレメントである。第２のソール構造体は第２のアッパーの踵領域に取り付けられた第２の踵ソール構造体であり、第２のソール構造体のブラダエレメントは第２の踵ブラダエレメントである。方法は、第１の前足ソール構造体の後側エッジと第１の踵ブラダエレメントの横断エッジとを隣接させるように、第１の踵ソール構造体の前方で第１のアッパーに第１の前足ソール構造体を取り付けることと、第２の前足ソール構造体の後側エッジと第２の踵ブラダエレメントの横断エッジとを隣接させるように、第２の踵ソール構造体の前方で第２のアッパーに第２の前足ソール構造体を取り付けることと、をさらに含む。
【００１８】
複数の同じ踵ソール構造体からなるインベントリから踵ソール構造体が選択される実施例においては、選択的に、第１の前足ソール構造体と第２の前足ソール構造体もまた、複数の実質的に同じ前足ソール構造体からなるインベントリから選択され得る。そのようなインベントリに含まれる前足ソール構造体の各々が、流体で満たされた内側キャビティを囲繞しているポリマ製前足ブラダエレメントを含む。ポリマ製前足ブラダエレメントは、該前足ブラダエレメントの流体で満たされた内側キャビティを取り囲む周縁フランジを有するとともに、該前足ブラダエレメントの外側方から内側方まで延びている横断エッジを含む。第１の前足ソール構造体の前足ブラダエレメントの流体で満たされた内側キャビティは第１の踵ソール構造体の踵ブラダエレメントの流体で満たされた内側キャビティから隔離されており、第２の前足ソール構造体の前足ブラダエレメントの流体で満たされた内側キャビティは第２の踵ソール構造体の踵ブラダエレメントの流体で満たされた内側キャビティから隔離されている。
【００１９】
いくつかの実施例においては、方法は、前足ソール構造体と踵ソール構造体が第１のアッパーと第２のアッパーに固定されるときに、第１の踵ブラダエレメントの横断エッジに第１の前足ソール構造体の後側エッジを当接させることと、第２の踵ブラダエレメントの横断エッジに第２の前足ソール構造体の後側エッジを当接させることと、を含む。代替的に、各アッパー上の横断エッジと後側エッジとの間に、所定の製造公差の範囲内の幅を有するギャップが存在し得る。
【００２０】
いくつかの実施例においては、第１のソール構造体は第１のアッパーの前足領域に取り付けられた第１の前足ソール構造体であり、第１のソール構造体のブラダエレメントは第１の前足ブラダエレメントであり、第２のソール構造体は第２のアッパーの前足領域に取り付けられた第２の前足ソール構造体であり、第２のソール構造体のブラダエレメントは第２の前足ブラダエレメントである。方法は、第１の踵ソール構造体の前側エッジと第１の前足ブラダエレメントの横断エッジとを隣接させるように、第１の前足ソール構造体の後方で第１のアッパーに第１の踵ソール構造体を取り付けることと、第２の踵ソール構造体の前側エッジと第２の前足ブラダエレメントの横断エッジとを隣接させるように、第２の前足ソール構造体の後方で第２のアッパーに第２の踵ソール構造体を取り付けることと、を含む。
【００２１】
いくつかの実施例においては、第１のソール構造体は第１のアッパーの前足領域に取り付けられた第１の前足ソール構造体であり、第２のソール構造体は第２のアッパーの前足領域に取り付けられた第２の前足ソール構造体である。方法は、第１の前足ソール構造体の後側エッジと第１の踵ソール構造体の前側エッジとを隣接させるように、第１の前足ソール構造体の後方で第１のアッパーに第１の踵ソール構造体を取り付けつけることと、第２の前足ソール構造体の後側エッジと第２の踵ソール構造体の前側エッジとを隣接させるように、第２の前足ソール構造体の後方で第２のアッパーに第１の踵ソール構造体と実質的に同じ第２の踵ソール構造体を取り付けると、をさらに含み、第１の踵ソール構造体と第２の踵ソール構造体とは実質的に同じものであることを特徴とする。
【００２２】
いくつかの実施例においては、ポリマ製ブラダエレメントの面はまた、第１の溝及び横断エッジとほぼ平行に外側方から内側方まで延在する第２の溝を有する。そのような実施例においては、方法は、複数のソール構造体からなるインベントリから第３のソール構造体を選択し、第３のソール構造体の第２の溝に沿ってトリムし、第３の履物アッパーに第３のソール構造体を取り付けることをさらに含む。そのような実施例においては、第３の前足アッパーと第３のソール構造体は、第１の履物サイズよりも小さい第３の履物サイズに対応する。
【００２３】
本考案の上述した特徴及び他の特徴や利点は、添付の図面を参照しつつ本考案を実施するための形態についての以下の詳細な説明を参照することにより、当業者に明らかとなろう。
【００２４】
なお、「１つの」、「少なくとも１つの」及び「１つ又は複数の」という語句は互換性があるものとして使用されており、少なくとも１つ該物品が存在することを意味する。特に明示の記載がない限り、複数のこれらの物品が存在し得る。本明細書及び実用新案登録請求の範囲において、（例えば、量や条件の）パラメータのすべての数値は、数値の前に「約」という語句が実際にあるか否かに拘わらず、すべての状況において「約」という語句によって修飾され得るものと理解されよう。「約」という語句は、記載した数値が若干正確でないこと（正確な値に近づいていること、理論的に値が近いこと、又は近似）があっても、これを許容し得ることを示す。或いは、「約」という語句によって与えられる不正確性が当技術分野で許容されない場合にも、本明細書中における「約」との語句は、通常の測定方法及び測定のパラメータを使用することに起因する変動が生じ得ることを示す。加えて、開示された範囲内には、当該範囲内のすべての値及び更に分割された範囲が含まれ得る。
【００２５】
「備える」、「含む」、「有する」との語句は、包含することを意図し、従って記載された特徴、ステップ、オペレーション、エレメント、構成要素等の存在を特定するが、１つ又は複数の他の特徴、ステップ、オペレーション、エレメント、構成要素の存在や追加を除外することを意図するものではない。ステップ、プロセス、オペレーションの順序は、可能である場合には変更され得るし、追加の又は代替的なステップが採用されることもある。本明細書において、「又は」との語句は、リストに挙げられた関連物品の１つ又は複数の組合せを意味する。「種々の」との語句は、当該物品の「どの１つでもよい」ことを含む、当該物品の可能な組合せを含み得るものと理解されよう。「いずれかの」との語句が添付の実用新案登録請求の範囲で使われる場合には、当該請求項のうちの「どの１つでもよい」ことを含む、当該請求項の可能な組合せを含み得るものと理解されよう。
【００２６】
当業者であれば、「上側」、「下側」、「上方」、「下方」、「上部」、「下部」などの用語は、相対的な位置関係を示すものとして使用されており、実用新案登録請求の範囲に規定される考案の範囲を限定することを意図するものではないことを理解されたい。
【００２７】
各図（各図に亘って同様の参照符号は同様の構成要素を示す）を参照すると、図１及び図２は、アッパー１２とソール構造体１４を備えた履物１０を示す。本明細書中で詳しく説明するように、１つ又は複数の溝をソール構造体１４に効果的に配置する方法に従ってソール構造体１４が製造されると、溝に沿ってソール構造体１４をトリムすることにより、第１のサイズの履物を製造するのにソール構造体１４を使用することが可能となる。或いは、同じソール構造体１４が溝に沿ってトリムされない場合に、より大きな第２のサイズの履物が製造される。
【００２８】
ソール構造体１４は、本明細書において前足ソール構造体１６と呼ばれる前側ソール構造体と、踵ソール構造体１８と呼ばれる後側ソール構造体とを含む。前足ソール構造体１６と踵ソール構造体１８の各々は、単一のワンピースの構造体であり、互いに接続していなければ、互いに連通もしていない。図３は、アッパー１２に取り付けられる前の前足ソール構造体１６を示す。図４は、アッパー１２に取り付けられる前の踵ソール構造体１８を示す。前側エッジ（横断エッジ２６ともいう）が中足領域２２に配置されるように、踵ソール構造体１８は履物アッパー１２に固定される。また、後側エッジ２８である横断エッジが中足領域２２において横断エッジ２６とほぼ平行となるように、前足ソール構造体１６は配置される。横断エッジ２６と後側エッジ２８は共に、ほぼ真直ぐに、ソール構造体１４の外側方３０から内側方３２まで延在する。エッジ２６，２８は、履物１０の外側方３４においてよりも内側方３２において、より前方に位置している。一実施例においては、横断エッジ２６は、外側方３０から内側方３２まで後側エッジ２８に当接するように配置される。或いは、所定の製造公差と一貫した所定の幅の範囲内の幅の小さなギャップが、アッパー１２に固定されているエッジ２６，２８間に存在し得る。前足ソール構造体１６と踵ソール構造体１８とが協働して、履物１０の前足領域２０、中足領域２２及び踵領域２４の全体に亘って延在する。
【００２９】
前足領域２０は概して、足指、及び人体の足の中足骨と指骨とを接続している関節に対応する履物１０の部分を含む。中足領域２２は概して、人体の足の土踏まずの領域（船状骨の関節を含む）に対応する履物１０の部分を含む。踵領域２４は概して、人体の足の後側部分（人の足がソール構造体１４によって支えられ、ソール構造体１４に対応する寸法である場合に、踵骨を含む）に対応する履物１０の部分を含む。
【００３０】
本明細書で使用されるように、履物の構成要素の外側方（ソール構造体１４の外側方３０を含む）とは、人体の足の外側領域（すなわち、着用者の５番目の足指に近い側）に対応する側のことである。５番目の足指は一般に、小指と呼ばれている。履物の構成要素の内側方３２（ソール構造体１４の内側方３２を含む）とは、人体の足の内側領域（すなわち、着用者の足の第一趾に近い側）に対応する側のことである。第一趾は一般に、親指と呼ばれている。アッパー１２の外側方３４と内側方３６も図示されている。
【００３１】
本明細書における「長手方向」との語句は、履物１０の長さ方向に沿って延びている（すなわち、前足領域２０から踵領域２４まで延びている）方向のことである。本明細書において使用されている「前方」との語句は、概ね踵領域２４から前足領域２０へ向かう方向のことであり、「後方」との語句は、反対方向すなわち前足領域２０から踵領域２４へ向かう方向のことである。
【００３２】
図２を参照すると、履物アッパー１２は、着用者の足をしっかりと覆うものである。これにより、アッパー１２内に足が包まれ、その足が履物１０から脱げないように固定される。ソール構造体１４は、アッパー１２の下側領域に固定され、足と地面との間に延在して足を支えることにより、例えば、地面からの反力を緩和し（すなわち、足に対するクッションの役割）、静止摩擦力をもたらし、安定性を高め、さらには足の動きに影響を及ぼす。
【００３３】
アッパー１２は、様々な材料を取り入れている場合があり、足の外側方と内側方に沿って延在し、足を覆い、さらには踵の周り取り囲むように、足の配置される空洞を画定する。選択的に、アッパー１２は足の下に延在するか、或いはアッパー１２の下側周縁が足の下に延在するストローベルに固定され得る。靴紐４０とベロ（舌革、砂よけ革）４２は、内側の空洞の寸法を調節するために利用され、これにより、内側の空洞内に足を固定させたり、内側の空洞に足を出入りさせたりし易くなる。
【００３４】
ソール構造体１６，１８は共に、ポリマ製ブラダエレメントを含む。図２及び図５は、前足ソール構造体１６の前足ブラダエレメント４４を示す。ブラダエレメント４４は、内側キャビティ５０を取り囲む上側のポリマ製シート４６と下側のポリマ製シート４８（図３１を参照）から熱成形される。内側キャビティ５０は、空気や窒素などの流体で該キャビティ５０を満たすために、膨張ポート５１（図１５に示されている）を通して膨らませられる。その後、膨張ポート５１は封止される。図５に最もよく示されているように、内側キャビティ５０は、チャネル５２を介して互いに流体的に連通したサブ・キャビティ５０Ａ，５０Ｂ，５０Ｃ，５０Ｄ及び５０Ｅに分割されている。複数のサブ・キャビティ間で、シート４６，４８が互いに、熱成形中の熱的結合などにより結合され、ブラダエレメント４４のウェブ領域５３がつくり出される。シート４６，４８は、内側キャビティ５０の周縁に沿って、流体で満たされた内側キャビティ５０を取り囲む周縁フランジ５４の位置で互いに結合されている。図３に最もよく示されているように、周縁フランジ５４は、前側の長手方向の先端５６の周りに、外側方３４から内側方３６まで延在する起伏のあるエッジ５５を含むとともに、横断エッジ２８を含む。
【００３５】
ブラダエレメント４４，７０の各々は、図に示され本明細書中に説明される上側シート４６と下側シート４８（第１のシートと第２のシート、第１の層と第２の層、又は上側層と下側層とも呼ばれる）から熱成形され得る。或いは、プリフォームのポリマ製材料から吹込み成形され得る。複数のシートは、熱可塑性ポリウレタン（ＴＰＵ）の層とガスバリア材料の層とが交互に配置された層を有し得る。種々の実施例において、各ブラダエレメント４４，７０は、流体で満たされた内側キャビティ５０，７２内に流体を保持するように構成されている。本明細書において使用される「流体」との語句は、空気、窒素などの不活性ガス、又は他のガスを含む気体を含む。従って、「流体で満たされた」との語句は、「気体で満たされた」との意味を含む。ブラダエレメント４４，７０に使用される様々な材料は、実質的に透明な場合もあれば彩色されている場合もある。例えば、ブラダエレメント４４，７０は、流体（空気、窒素などの不活性ガス、又は他のガスを含む気体を含む）を所定の圧力下で保持する様々なポリマ製材料から形成され得る。ブラダエレメント４４，７０は、例えば、熱可塑性ポリウレタン材料、ウレタン材料、ポリウレタン、ポリエステル、ポリエステルポリウレタン、及び／又はポリエーテル・ポリウレタンからなる。
【００３６】
さらなる一実施例においては、ブラダエレメント４４，７０は、様々な材料からなる複数の層を有する１つ又は複数のシートから形成され得る。複数のシートは、熱可塑性ポリウレタンの層からなる１つ又は複数の第１の層（第１の層と、本明細書においてバリア層、ガスバリアポリマ又はガスバリア層ともいう１つ又は複数の第２の層とは交互に配置され得る）を有する薄いフィルムから形成された積層メンブレン（膜）であり得る。Ｂｏｎｋらの米国特許第６，０８２，０２５号明細書（これの全体が本願の参照となる）に開示されているように、第２の層は含有している圧縮流体を浸透させないエチレンとビニルアルコールのコポリマ（ＥＶＯＨ）からなり得る。第１の層は、ポリマ製シートの外面を形成するように配置され得る。すなわち、最も外側にある第１の層がブラダエレメント４４又は７０の外面であり得る。Ｍｉｔｃｈｅｌｌらの米国特許第５，７１３，１４１号明細書及び米国特許第５，９５２，０６５号明細書（これらの全体が本願の参照となる）に開示されているように、ブラダエレメント４４，７０はまた、熱可塑性ポリウレタンとエチレンビニルアルコールコポリマとが交互に配置された層を含む材料から形成され得る。代替的に、複数の層は、エチレンビニルアルコールコポリマ、熱可塑性ポリウレタン、及びエチレンビニルアルコールコポリマと熱可塑性ポリウレタンの粉砕再生材料（リグラインド）を含み得る。Ｂｏｎｋらの米国特許第６，０８２，０２５号明細書及び米国特許第６，１２７，０２６号明細書（これらの全体が本願の参照となる）に開示されているように、各シート４６，４８の各々はまた、第２の層たるガスバリアポリマ材料の層と、第１の層たるエラストマ材料の層とが交互に配置された層を含む柔軟なマイクロ層メンブレンであり得る。ブラダエレメント４４，７０をつくるのに適切な材料としてはさらに、Ｒｕｄｙの米国特許第４，１８３，１５６号明細書及び米国特許第４，２１９，９４５号明細書（これらの全体が本願の参照となる）に開示されている。ブラダエレメント４４，７０をつくるのに適切な材料としてはさらに、Ｒｕｄｙの米国特許第４，９３６，０２９号明細書及び米国特許第５，０４２，１７６号明細書（これらの全体が本願の参照となる）に開示された結晶材料を含む熱可塑性フィルムと、Ｂｏｎｋらの米国特許第６，０１３，３４０号明細書、米国特許第６，２０３，８６８号明細書、及び米国特許第６，３２１，４６５号明細書（これらの全体が本願の参照となる）に開示されたポリエステルポリオールを含むポリウレタンと、がある。ブラダエレメント４４，７０をつくるための材料を選択するときに、引張強度、伸張特性、疲労特性、力学的特性、及び損失正接等の工学的特性が考慮され得る。ブラダエレメント４４，７０がシートから形成されている場合、これらの特性をもたらすように、ブラダエレメント４４，７０を形成するために使用されるシートの厚さが選択され得る。
【００３７】
図３に示されているように、様々なアウトソール構成要素６０，６２がブラダエレメント４４の下側面に固定され得る。図５においては、ブラダエレメント４４は、アウトソール構成要素６０，６２を有することなく示されている。アウトソール構成要素６０，６２は、地面との係合面６６をもたらすトレッドエレメント６２を有し得る。図面を見易くするために、アウトソール構成要素６０，６２とトレッドエレメント６４のうちのいくつかだけが参照符号で示されている。
【００３８】
図２は、内側キャビティ７２を取り囲むための上側ポリマ製シート４６（図３１及び図３２に示されている）と下側ポリマ製シート４８から熱成形されたブラダエレメント７０を含む踵ソール構造体１８を示す。モールドがブラダエレメント４４，７０の両方についてのモールドキャビティを含む場合にも、上側ポリマ製シート４６と下側ポリマ製シート４８は、ブラダエレメント４４を形成するために使用されるものと同じシートであり得る。或いは、ブラダエレメント７０をつくるために、別の上側ポリマ製シート４６と下側ポリマ製シート４８が使用される場合もある。キャビティ７２は、空気や窒素等の流体でキャビティ７２を充填するための膨張ポート５１を介して膨張されている。その後、膨張ポート５１は封止される。図６に示されているように、内側キャビティ７２は、チャネル７６を介して互いに流体的に連通したサブ・キャビティ７２Ａ，７２Ｂ，７２Ｃ，７２Ｄ，７２Ｅに分割されている。サブ・キャビティ間において、シート４６，４８は熱成形中の熱接合などにより互いに結合されると、ブラダエレメント４４のウェブ領域７８がつくり出される。シート４６，４８は、内側キャビティ７２の周縁に沿って流体で満たされた内側キャビティ７２を取り囲む周縁フランジ８０の位置で互いに結合されている。図４に最もよく示されているように、周縁フランジ８０は、長手方向の後側端部８４の周りにおいて、外側方３４から外側方３６まで延在する起伏のあるエッジ８２を含むとともに、横断エッジ２６を含む。様々なアウトソール構成要素８６，８８がブラダエレメント７０の下側面に固定され得る。図６において、ブラダエレメント７０が、アウトソール構成要素８６，８８を省いて示されている。アウトソール構成要素８６，８８は、図２に示されている地面との係合面６６の一部をもたらすトレッドエレメント９０を有する。図を見易くするために、アウトソール構成要素８６，８８及び複数のトレッドエレメント９０のうちのいくつかだけが図４において参照符号で示されている。
【００３９】
足を正しく支持するために、長手方向の前側端部５６から長手方向の後側端部８４まで亘るソール構造体１４の全体の長さが、特定の履物サイズに対応する。各履物サイズについて様々な位置における長さと幅を選択することは、履物を等級別にすることの一部を構成する。履物を等級別にすることは、各サイズについて、ソール構造体の長さや幅が測定されることを意味し、履物の各サイズに応じて別個の金型等が必要となることが多い。ソール構造体１４が前側端部５６から後側端部８４まで延びている単一の充分な長さのブラダエレメントである場合、各履物サイズに提供されるべき前側先端５６から後側先端８４までの様々な長さに対処するために、各履物サイズに応じた金型等が必要となる。
【００４０】
この要求に対処するために、ソール構造体１４は、互いに流体的に連通していない（すなわち、互いに隔離されている）２つの別個のブラダエレメント４４，７０を有する。ブラダエレメント４４及び／又は７０が熱成形された後、ソール構造体１４のブラダエレメントのうちの少なくとも１つの長さを容易かつ正確に変更できるように構成されている。前足ソール構造体１６と踵ソール構造体１８が完全に形成された後かつ選択された履物アッパーに取り付けられる前に、前足ソール構造体１６と踵ソール構造体１８の加算した長さを様々な履物サイズに応じて変更することができるように、ソール構造体１４が製造されている。従って、様々なサイズの履物に最終的に使用されるブラダエレメントをつくるために、単一の共通した熱成形モールドが使用され得る。
【００４１】
具体的には、外側方３０から内側方３２まで延びている少なくとも１つの溝１００とともにブラダエレメント４４，７０の一方又は両方が形成されるか、或いはブラダエレメント４４，７０が熱成形された後に、外側方３０から内側方３２まで延びている少なくとも１つの溝１００が形成される。図２及び図６は、ブラダエレメント７０の下側面１０２にある溝１００を示す。図１にブラダエレメント７０に関して最もよく示されているように、ブラダエレメント７０がアッパー１２に固定されるときに、溝１００が形成されたブラダエレメント４４，７０の一部がソール構造体１４の中足領域２２に配置されている。溝１００は、横断エッジ２６とほぼ平行に外側方３０から内側方３２まで延在する。
【００４２】
図１に示されているように、前側端部５６付近の前足領域２０の前側の大部分、及び後側端部８４付近の踵領域２４の後側の大部分における幅の変化と比べると、溝１００が形成されている位置におけるソール構造体１４の幅は比較的一定である。前側端部５６付近のブラダエレメント４４の寸法を数ｍｍだけ短くした場合には、他の幅の変化がなくとも（すなわち、幅の等級別の変化がなくとも）、前側端部５６における外側方３０から内側方３２までの曲率に大きく影響する。ブラダエレメント７０を後側端部８４において数ｍｍだけ短くした場合にも、後側端部８４における外側方３０から内側方３２までの曲率は同様に大きく変化する。
【００４３】
中足領域２２においてブラダエレメント４４及び／又は７０の横断エレメント２６の位置に長さ調節機能部（すなわち、溝１００）を有することにより、少なくともいくつかの連続した履物サイズ間においてブラダエレメントの幅を等級別にする必要がなくなる。すなわち、同じ熱成形モールドを用いて形成されたブラダエレメントを様々な寸法の履物に適合させることができるように、形成済みのブラダエレメント４４及び／又は７０の長さを調節することが可能となる。
【００４４】
図４を参照すると、ブラダエレメント７０は、長手方向に延びる該ブラダエレメント７０の中央線ＬＭに沿った第１の長さL１であって周縁フランジ８０の長手方向の端部（すなわち、端部８４の位置の終端）から溝１００の中央までの第１の長さＬ１を有する。図１に示されているように、ブラダエレメント４４，７０がアッパー１２に固定され、長手方向の前側端部５６と後側端部８４を貫くように延在しているときに、長手方向に延びるブラダエレメント７０の中央線ＬＭは、長手方向に延びるソール構造体１４の中央線ＬＭであるともいえる。ブラダエレメント１８は、長手方向に延びる中央線ＬＭに沿った第２の長さＬ２であって長手方向の後側端部８４から横断エッジ２６までの第２の長さＬ２を有する。図４に示されているように、第１の長さＬ１は第２の長さＬ２よりも短い。一実施例においては、溝１００をトリムすることによる、長さＬ１とＬ２との差は約４ｍｍとなるが、この例に限定しない。ソール構造体１８がアッパー１２に固定されているときに、第１の長さＬ１は第１の履物サイズに対応し、第２の長さＬ２は第１の長さよりも長い第２の長さに対応するようにブラダエレメント７０は構成される。図３に示されているように、前足ソール構造体１６は、長手方向に延びる中央線ＬＭに沿った長さＬであって長手方向の前側端部５６から横断エッジ２８までの長さＬを有する。長手方向に延びる前足ソール構造体１６の中央線ＬＭに沿った長さＬと第１の長さＬ１との合計は、長手方向に延びるソール構造体１４の中央線ＬＭに沿った全体の長さであり、第１の履物サイズ（例えば、米国におけるサイズ８）を有する履物に対応する。前足ソール構造体１６の長さＬと長さＬ２との合計は、第１の履物サイズよりも長い第２の履物サイズ（例えば、米国におけるサイズ８．５）を有する履物に対応する。これらのサイズ８とサイズ８．５とその差の０．５は、例示的なものである。例えば、米国のサイズ上で、Ｌ１とＬ２との長さの差が０．５よりも大きい場合もあれば、小さい場合もあるように、溝１００は形成され得る。
【００４５】
図６に示されているように、ブラダエレメント７０は、フランジ８０の厚さＴと比較して溝１００の位置において薄い厚さＴ１を有する。ブラダエレメント７０の材料と、溝１００の位置においてブラダエレメント７０が薄い厚さT１であることは、該ブラダエレメント７０を溝１００の中央に沿って外側方３０から内側方３２まで（或いは内側方３２から外側方３０まで）トリムすることを容易にする。このように溝１００に沿ってブラダエレメント７０をトリムすることにより、より短い長さＬ１を有するブラダエレメント７０が生成される。横断エッジ２６と前足ソール構造体１６の後側エッジ２８とが当接するように（或いは、エッジ２６，２８間に所定のギャップが生じる場合もある）、踵ソール構造体１８が履物アッパー１２に固定されると、長手方向の前側端部５６から長手方向の後側端部８４までの全体の長さは、Ｌ１の長さとＬ２の長さの差だけ短くなる。中足領域２２に横断エッジ２６と後側エッジ２８が配置されることにより、ブラダエレメント７０が溝１００に沿ってトリムされたか否かに拘わらず、起伏のあるエッジ８２が前足領域２０において対応するフィット感、及び起伏のあるエッジ８２が踵領域２４の後ろ側において対応するフィット感は変化しない。
【００４６】
図２に最もよく示されているように、アウトソール構造体６０，６２は、流体で満たされた内側キャビティ５０よりも低い位置にあるブラダエレメント７０に固定されており、別個のアウトソール構成要素８６，８８が、流体で満たされた内側キャビティ７２よりも低い位置にあるブラダエレメント７０に固定されている。周縁フランジ５４，８０は、熱接合、接着、縫合又は他の方法などを用いて履物アッパー１２に固定されている。流体で満たされた内側キャビティ５０，７２はそれぞれの周縁フランジ５４，８０よりも低い位置に延在し、溝１００は、周縁フランジ８０の横断エッジ２６の付近でブラダエレメント７０の地面との係合面１０２に形成されている。溝１００は、少なくとも流体で満たされた内側キャビティ７２の分だけソール構造体１４の地面との係合面６６からずれた位置にある。このように溝１００は地面との係合面６６の位置にないので、ブラダエレメント７０がアッパー１２に取り付けられる前に溝１００に沿ってトリムされない場合においても、静止摩擦力に影響を及ぼさない。
【００４７】
他の実施例においては、内側キャビティ７２の前方かつ横断エッジ２６の後方にある地面との係合面１０２に２つの溝１００が形成されており、これらの溝の各々が、図２１の踵ソール構造体５１８のブラダエレメント７０に概略的に示されているように、互いに平行に延びている。さらに他の実施例においては、図１４の前足ソール構造体４１６のブラダエレメント４４に概略的に示されているように、１つ又は複数の溝１００が、内側キャビティ５０の後方かつ後側エッジ２８の前方にある、前足ブラダエレメント４４の地面との係合面１０２に形成されている。
【００４８】
図３１を参照すると、上側モールド２０２と下側モールド２０４を有する熱成形モールド内において、ポリマ製シート４６，４８からブラダエレメント４４，７０が形成され得る。ブラダエレメント７０を形成するためのモールド面２０６，２０８を有するモールド２０２，２０４が示されている。当業者であれば、ブラダエレメント４４を形成するために、どれほど様々なモールド面が使用され得るかを容易に理解されよう。熱成形と、減圧ポート（図示せず）を介してモールド２０２，２０４内を減圧する真空成形（減圧成形ともいう）とを組み合わせたプロセスがあるが、減圧することにより、ポリマ製材料の第１の部分（すなわち、第１のシート４６の取り囲まれた部分）を上側モールド２０２の第１のモールド面２０６に整合させるとともに、第２のモールド面２０８にポリマ製材料の第２の部分（すなわち、第２のシート４８の取り囲まれた部分の底面）を整合させる。第１の部分と第２の部分との間に、内側キャビティ７２（図３２において、サブ・キャビティ７２Ｃ，７２Ｅによって示されている）がある。或いは、シートに力を加えてモールド面２０６，２０８に整合させるために、閉じたモールド２０２，２０４内のシート４６，４８間に圧縮流体が導入され得る。第２のモールド面２０８は突起２１０を有し、この突起２１０に対して、第２のポリマ製シート４８が熱成形される。突起２１０は、下側シート４８に溝１００を生じさせる形状に形成されている。換言すれば、溝１００は、ブラダエレメント７０内へ熱成形され得る。代替的に、溝１００は、ブラダエレメント７０がモールドから取り出された後、面１０２に溝を引っ掻いて形成すること或いはエッチング等の他の方法により形成される場合もある。
【００４９】
選択的に、アウトソール構成要素８６は、熱可塑性ポリウレタン材料であり、モールド内に配置され、下側シート４８に熱成形され熱接合され得る。アウトソール構成要素８８はゴムであり得る。アウトソール構成要素８８はまた、ブラダエレメント７０がモールド２０２，２０４から取り出された後、接着又は他の方法でアウトソール構成要素８６に固定され得る。上側モールド２０２と下側モールド２０４とが接触すると、シート４６，４８の余剰部分２８１，２８２が断ち切られる。熱成形プロセスが完了した後（すなわち、熱成形モールド２０２，２０４からブラダエレメント７０と第１のアウトソール構成要素８６とが取り出され後）、内側キャビティ７２は膨張され得る。
【００５０】
ブラダエレメント４４，７０の一方又は両方に１つ又は複数の溝１００を形成することは、製造の汎用性を高め、金型コストの削減と規模の経済性により潜在的に製造コストを下げる。例えば、図７を参照すると、履物を製造する方法が、複数の実質的に同じソール構造体１８からなるインベントリ３００を提供することを含む。インベントリ３００は、複数のソール構造体１８をグループ化して長方形の境界で囲むことで概略的に示しているが、これは実質的に同じソール構造体１８が形成された後に一緒にストックされ得ることを示しているだけである。ソール構造体１８は図７において概略的に示されるだけであるが、図４に示されるように各々は構成されている。
【００５１】
具体的な履物サイズの製造上の需要に応じて、インベントリ３００内の実質的に同じソール構造体１８のうち、第１の寸法を有する履物をつくるために使用されるものもあれば、本明細書中で説明した第２の寸法を有する履物をつくるために使用されるものもあり得る。或いは、第１の寸法を有する履物をつくるためにソール構造体１８のすべてが使用される場合もあれば、第２の寸法を有する履物をつくるためにソール構造体１８のすべてが使用される場合もある。
【００５２】
方法は、インベントリ３００から第１のソール構造体１８（図８においてソール構造体１８Ａとして示されている）を選択することを含む。第１の履物３１０Ａにおける小さい履物サイズが望ましい場合、ソール構造体１８Ａは溝１００に沿ってトリムされ、図８に示されているように、元の横断エッジ２６よりも僅かに後方に新しい横断エッジ２６Ａを生じる。図１０に示されているように、第１のソール構造体１８Ａは、第１の履物アッパー１２Ａに取り付けられる。第１の履物アッパー１２Ａは、図１及び図２に関して説明した履物アッパー１２と実質的に同じであり、第１の履物サイズに対応する寸法を有する。そして、図１２に示されているように、第１の前足ソール構造体１６の後側エッジ２８と第１の踵ソール構造体１８Ａの踵ブラダエレメント７０の横断エッジ２６Ａとを隣接させ或いは当接させるように、図３に示されるような第１の前足ソール構造体１６が第１の踵ソール構造体１８Ａの前方で第１のアッパー１２Ａに固定されると、エッジ２６Ａ，２８の少なくとも一部が互いに平行となる。第１のサイズを有する履物３１０Aを所望の収量だけ製造するために、これらのステップが繰り返され得る。
【００５３】
第２の履物サイズを有する１つ又は複数の履物３１０Ｂが望まれる場合、複数のソール構造体１８からなる同一のインベントリ３００が使用され得る。例えば、図９においてソール構造体１８Ｂとして示されている第２の踵ソール構造体がインベントリ３００から選択され、溝１００に沿ってトリムされることなく、図１１に示されているように、第２の履物アッパー１２に取り付けられる。第２の履物アッパー１２Ｂは、履物アッパー１２Ａと実質的に同じであり、第２の履物サイズに対応する寸法に形成されている。そして、図１３に示されているように、エッジ２６，２８の少なくとも一部がほぼ平行となるように後側エッジ２８を横断エッジ２６に当接させるように、前足ソール構造体１６がアッパー１２Ｂに固定されると、履物３１０Ｂが生成される。履物３１０Ａと履物３１０Ｂにおいて同じ前足ソール構造体１６が使用される。図１２に示されている履物３１０Ａが第１のサイズを有する一方で、図１３に示されている履物３１０Ｂはさらに大きい第２のサイズを有する。
【００５４】
製造上の汎用性を高めるために、図１４に示されているように、複数の実質的に同じ前足ソール構造体４１６からなるインベントリ４００が用意され得る。前足ソール構造体４１６は、追加の溝１００以外は、前足ソール構造体１６と同じである。複数の構造体４１６の各々が、下側面に形成された（溝１００に関して説明した通りの）溝１００を有する。他の実施例においては、図２１に示されている踵ソール構造体５１８に形成された溝１００と同様の２つ以上の溝が形成され得る。
【００５５】
溝１００を有することにより、様々なサイズの履物を製造する上でインベントリ４００が使用され得る。例えば、前足ソール構造体４１６Ａとして示されている第１の前足ソール構造体がインベントリ４００から選択され、その後、溝１００に沿ってトリムされることにより、図１５に示されているように、より前方に位置した後側エッジ２８Ａが生じる。前足ソール構造体４１６Ｂとして示されている第２の前足ソール構造体は、インベントリ４００から選択され、溝１００に沿ってトリムされない。ソール構造体４１６Ａは、長手方向に延びるブラダエレメント４４の中央線ＬＭに沿った第３の長さＬ３であってブラダエレメント４４の長手方向の前側端部５６から溝１００まで（エッジ２８Ａまで）の第３の長さＬ３を有する。ソール構造体４１６Ｂは、長手方向に延びる中央線ＬＭに沿った第４の長さＬ４であって長手方向の端部５６から横断エッジ２８までの第４の長さＬ４を有する。
【００５６】
第１の前足ソール構造体４１６Ａは、図１７に示されているように、溝１００に沿ってトリムされた後、第１の履物サイズに対応するアッパー１２Ａに取り付けられる。図１９に示されているように、第１の前足ソール構造体４１６Ａの後側エッジ２８と第１の踵ソール構造体１８の前側エッジ２６とを隣接させ或いは当接させるように、第１の踵ソール構造体１８が第１の前足ソール構造体４１６Ａの後方で第１のアッパー１２Ａに取り付けられると、第１の履物４１０Ａが生成される。図１８に示されているように、第２の前足ソール構造体４１６Ｂは、溝１００に沿ってトリムされることなく、第２の履物サイズに対応する第２のアッパー１２Ｂに取り付けられる。図２０に示されているように、第２の前足ソール構造体４１６Ｂの後側エッジ２８と第２の踵ソール構造体１８の前側エッジ２６とを隣接させ或いは当接させるように、第２の踵ソール構造体１８が、第２の前足ソール構造体４１６Ｂの後方で第２のアッパー１２Ｂに取り付けられる。図１９に示されている履物４１０Ａが第１の履物サイズを有する一方で、図２０に示されている履物４１０Ｂは、さらに大きい第２の履物サイズを有する。他の実施例においては、踵ソール構造体と前足ソール構造体の両方に溝１００が形成されている。そのような実施例においては、踵ソール構造体１８Ａと前足ソール構造体４１６Ａが、第１の履物サイズを有する第１のアッパーに取り付けられる一方で、第２の踵ソール構造体１８Ｂと第２の前足ソール構造体４１６Ｂが、第１の履物サイズよりも大きい履物サイズを有する第２のアッパーに取り付けられる。
【００５７】
他の実施例の方法においては、図２１に示されているように、複数の実質的に同じ踵ソール構造体５１８からなるインベントリ５００が用意され得る。踵ソール構造体５１８は、地面との係合面１０２に溝１００Ａが追加されていること以外は、踵ソール構造体１８と同じである。図４の溝１００に関して説明したように、複数の構造体５１８の各々が、ブラダエレメント７０の下側面１０２に形成された第１の溝１００を有する。ポリマ製ブラダエレメント７０の面１０２は、外側方３０から内側方３２まで第１の溝１００及び横断エッジ２６とほぼ平行に延在する第２の溝１００Ａを有する。
【００５８】
溝１００，１００Ａを有することにより、インベントリ５００が、様々なサイズの履物を製造するために使用され得る。例えば、複数の踵ソール構造体５１８からなるインベントリから踵ソール構造体５１８Ａが選択され、溝１００Ａに沿ってトリムされると、図２２に示されるような前側エッジ２６Ｂが生じる。本明細書において、踵ソール構造体５１８Ａは、第３の踵ソール構造体とも呼ばれる。インベントリ５００から他の踵ソール構造体５１８Ｂが選択され、図２３に示される溝１００に沿ってトリムされると、前側エッジ２６Ａが生じる。さらに他の踵ソール構造体５１８Ｃは、選択された場合にも、図２４に示される溝１００と溝１００Ａのいずれに沿ってもトリムされない。ソール構造体５１８Ａは、長手方向に延びるブラダエレメント７０の中央線に沿った長さＬ５であって、ブラダエレメント４４の長手方向の端部８４から、溝１００Ａに沿ってトリムすることによりつくり出された新たな横断エッジ２６Ｂまでの長さＬ５を有する。ソール構造体５１８Ｂは、長手方向に延びる中央線ＬＭに沿った長さＬ６であって長手方向の端部５６から横断エッジ２６Ａまでの長さＬ６を有する。例えば、長さＬ６は、図４に示した長さＬ１と同じであり得る。ソール構造体５１８Ｃは、長手方向に延びる中央線に沿った長さＬ７であって長手方向の端部５６から横断エッジ２６までの長さＬ７を有する。長さＬ７は長さＬ２と同じである。
【００５９】
図２５に示されているように、踵ソール構造体５１８Ａは、溝１００に沿ってトリムされた後、アッパー１２Ｃ（第３のアッパーという）に取り付けられる。アッパー１２Ｃは、第１の履物サイズよりも小さい（すなわち、アッパー１２Ａに対応する履物サイズよりも小さい）履物５１０Ａの第３の履物サイズに対応するサイズを有する。図２８に示されているように、後側エッジ２８と踵ソール構造体５１８Ａの前側端部２６とを隣接させるように、前足ソール構造体１６が踵ソール構造体５１８Ａの前方でアッパー１２Ｃに取り付けられると、履物５１０Ａが生成される。踵ソール構造体５１８Ｂはアッパー１２Ａに取り付けられる。図２９に示されているように、後側エッジ２８と踵ソール構造体５１８Ｂの前側エッジ２６Ａとを隣接させるように、同じ前足ソール構造体１６が踵ソール構造体５１８Ｂの前方でアッパー１２Ａに取り付けられると、履物５１０Ｂが生成される。図３０に示されているように、後側エッジ２８と踵ソール構造体５１８Ｃの前側エッジ２６とを隣接させるように、前足ソール構造体１６が踵ソール構造体５１８Ｃの前方でアッパー１２Ｂに取り付けられると、履物５１０Ｃが生成される。図２８に示される履物５１０Ａは、図２９に示される履物５１０Ｂの第２の履物サイズよりも小さい第３の履物サイズを有し、第２の履物サイズは図３０に示される履物５１０Ｃのサイズよりも小さい。例えば、米国の履物サイズの等級上で、第３の履物サイズは、第１の履物サイズよりも半サイズ（１／２サイズ）だけ小さい。このように、３つの異なるサイズの履物を製造するために、インベントリ５００から選択された同じ踵ソール構造体５１８が使用される。
【００６０】
本考案の様々な態様を実施するための数種類のモードについて詳細に説明したが、当業者であれば、本考案を実施するための様々な代替的な態様が添付の実用新案登録請求の範囲を逸脱することなくあり得ると理解されよう。上述した説明に含まれる事項のすべて及び添付の図面は説明することを重視したものであり、限定することを意図するものではない。
【図１】
0003220628.tif 000003
【図２】
0003220628.tif 000004
【図３】
0003220628.tif 000005
【図４】
0003220628.tif 000006
【図５】
0003220628.tif 000007
【図６】
0003220628.tif 000008
【図７】
0003220628.tif 000009
【図８】
0003220628.tif 000010
【図９】
0003220628.tif 000011
【図１０】
0003220628.tif 000012
【図１１】
0003220628.tif 000013
【図１２】
0003220628.tif 000014
【図１３】
0003220628.tif 000015
【図１４】
0003220628.tif 000016
【図１５】
0003220628.tif 000017
【図１６】
0003220628.tif 000018
【図１７】
0003220628.tif 000019
【図１８】
0003220628.tif 000020
【図１９】
0003220628.tif 000021
【図２０】
0003220628.tif 000022
【図２１】
0003220628.tif 000023
【図２２】
0003220628.tif 000024
【図２３】
0003220628.tif 000025
【図２４】
0003220628.tif 000026
【図２５】
0003220628.tif 000027
【図２６】
0003220628.tif 000028
【図２７】
0003220628.tif 000029
【図２８】
0003220628.tif 000030
【図２９】
0003220628.tif 000031
【図３０】
0003220628.tif 000032
【図３１】
0003220628.tif 000033
【図３２】
0003220628.tif 000034
【手続補正書】
【提出日】平成30年11月8日(2018.11.8)
【手続補正１】
【補正対象書類名】実用新案登録請求の範囲
【補正対象項目名】全文
【補正方法】変更
【補正の内容】
【実用新案登録請求の範囲】
【請求項１】
流体で満たされた内側キャビティを囲繞しているポリマ製ブラダエレメントを含むソール構造体を備える履物において、
上記ポリマ製ブラダエレメントは、
上記流体で満たされた内側キャビティを取り囲む周縁フランジであって、該ブラダエレメントの外側方から内側方まで横方向に延びている横断エッジを含む周縁フランジと、
上記横断エッジとほぼ平行に上記外側方から内側方まで延在する溝が形成された面と、
を有し、
上記溝の位置において厚さが減少しており、
長手方向に延びる上記ブラダエレメントの中央線に沿った第１の長さであって、上記ブラダエレメントの長手方向の先端から上記溝までの第１の長さと、
上記長手方向に延びる上記ブラダエレメントの中央線に沿った第２の長さであって、上記長手方向の先端から上記横断エッジまでの第２の長さと、
について、
第１の長さは第１の履物サイズに対応し、第２の長さは第１の履物サイズよりも長い第２の履物サイズに対応することを特徴とする、
履物。
【請求項２】
履物アッパーであって、上記横断エッジが該履物アッパーの中足領域に配置されるように上記ソール構造体が該履物アッパーに固定されている、履物アッパーをさらに備える、請求項１に記載の履物。
【請求項３】
上記ソール構造体は踵ソール構造体であり、
該履物は、
履物アッパーと、
上記履物アッパーに固定された前足ソール構造体と、
をさらに備え、
上記横断エッジが上記前足ソール構造体の後側エッジに当接するとともに上記横断エッジと上記後側エッジの両方が上記履物アッパーの中足領域に配置されるように、上記踵ソール構造体が上記履物アッパーに固定されていることを特徴とする、請求項１に記載の履物。
【請求項４】
上記ソール構造体は前足ソール構造体であり、
該履物は、
履物アッパーと、
上記履物アッパーに固定された踵ソール構造体と、
をさらに備え、
上記横断エッジと上記踵ソール構造体の前側エッジとが当接するとともに上記横断エッジと上記前側エッジの両方が上記履物アッパーの中足領域に配置されるように、上記前足ソール構造体が上記履物アッパーに固定されていることを特徴とする、請求項１に記載の履物。
【請求項５】
上記横断エッジは、上記外側方よりも上記内側方において、より前方に位置していることを特徴とする、請求項１〜４のいずれかに記載の履物。
【請求項６】
上記ブラダエレメントは、
第１のポリマ製シートと、
上記周縁フランジの位置で第１のポリマ製シートに結合された第２のポリマ製シートと、
を含み、
第１のポリマ製シートと第２のポリマ製シートの少なくとも一部が熱可塑性ポリウレタンであることを特徴とする、請求項１〜５のいずれかに記載の履物。
【請求項７】
上記溝は第１の溝であり、
上記面は、第１の溝とほぼ平行に上記外側方から内側方まで延在する第２の溝を有し、
上記ポリマ製ブラダエレメントは、上記長手方向に延びる上記ブラダエレメントの中央線に沿った第３の長さであって上記長手方向の先端から第２の溝までの第３の長さを有し、第３の長さは、第１の履物サイズよりも短い第３の履物サイズに対応することを特徴とする、請求項１〜６のいずれかに記載の履物。
【請求項８】
履物アッパーと、
上記流体で満たされた内側キャビティよりも低い位置で上記ブラダエレメントに固定され、地面との係合面を有するアウトソールと、
をさらに備え、
上記周縁フランジは上記履物アッパーに固定されており、
上記流体が充填された内側キャビティは上記周縁フランジよりも低い位置に延在し、
上記溝が形成された面は、上記流体で満たされた内側キャビティの分だけソール構造体の地面との係合面からずれた位置にある、上記ブラダエレメントにおける地面に面している面であることを特徴とする、請求項１に記載の履物。
【手続補正３】
【補正対象書類名】明細書
【補正対象項目名】０００１
【補正方法】変更
【補正の内容】
【０００１】
本考案は、概して、履物に関する。なお、本願は、２０１６年３月１５日に出願された米国仮出願第６２／３０８，２８３号明細書（この出願の全体が本願の参照となる）を基礎とする優先権の利益を主張する。
【手続補正４】
【補正対象書類名】明細書
【補正対象項目名】００３８
【補正方法】変更
【補正の内容】
【００３８】
図２は、内側キャビティ７２を取り囲むための上側ポリマ製シート４６（図３１及び図３２に示されている）と下側ポリマ製シート４８から熱成形されたブラダエレメント７０を含む踵ソール構造体１８を示す。モールドがブラダエレメント４４，７０の両方についてのモールドキャビティを含む場合にも、上側ポリマ製シート４６と下側ポリマ製シート４８は、ブラダエレメント４４を形成するために使用されるものと同じシートであり得る。或いは、ブラダエレメント７０をつくるために、別の上側ポリマ製シート４６と下側ポリマ製シート４８が使用される場合もある。キャビティ７２は、空気や窒素等の流体でキャビティ７２を充填するための膨張ポート５１を介して膨張されている。その後、膨張ポート５１は封止される。図６に示されているように、内側キャビティ７２は、チャネル７６を介して互いに流体的に連通したサブ・キャビティ７２Ａ，７２Ｂ，７２Ｃ，７２Ｄ，７２Ｅに分割されている。サブ・キャビティ間において、シート４６，４８は熱成形中の熱接合などにより互いに結合されると、ブラダエレメント４４のウェブ領域７８がつくり出される。シート４６，４８は、内側キャビティ７２の周縁に沿って流体で満たされた内側キャビティ７２を取り囲む周縁フランジ８０の位置で互いに結合されている。図４に最もよく示されているように、周縁フランジ８０は、長手方向の後側端部８４の周りにおいて、外側方３４から内側方３６まで延在する起伏のあるエッジ８２を含むとともに、横断エッジ２６を含む。様々なアウトソール構成要素８６，８８がブラダエレメント７０の下側面に固定され得る。図６において、ブラダエレメント７０が、アウトソール構成要素８６，８８を省いて示されている。アウトソール構成要素８６，８８は、図２に示されている地面との係合面６６の一部をもたらすトレッドエレメント９０を有する。図を見易くするために、アウトソール構成要素８６，８８及び複数のトレッドエレメント９０のうちのいくつかだけが図４において参照符号で示されている。
【手続補正５】
【補正対象書類名】明細書
【補正対象項目名】００５６
【補正方法】変更
【補正の内容】
【００５６】
第１の前足ソール構造体４１６Ａは、図１７に示されているように、溝１００に沿ってトリムされた後、第１の履物サイズに対応するアッパー１２Ａに取り付けられる。図１９に示されているように、第１の前足ソール構造体４１６Ａの後側エッジ２８Ａと第１の踵ソール構造体１８の前側エッジ２６とを隣接させ或いは当接させるように、第１の踵ソール構造体１８が第１の前足ソール構造体４１６Ａの後方で第１のアッパー１２Ａに取り付けられると、第１の履物４１０Ａが生成される。図１８に示されているように、第２の前足ソール構造体４１６Ｂは、溝１００に沿ってトリムされることなく、第２の履物サイズに対応する第２のアッパー１２Ｂに取り付けられる。図２０に示されているように、第２の前足ソール構造体４１６Ｂの後側エッジ２８と第２の踵ソール構造体１８の前側エッジ２６とを隣接させ或いは当接させるように、第２の踵ソール構造体１８が、第２の前足ソール構造体４１６Ｂの後方で第２のアッパー１２Ｂに取り付けられる。図１９に示されている履物４１０Ａが第１の履物サイズを有する一方で、図２０に示されている履物４１０Ｂは、さらに大きい第２の履物サイズを有する。他の実施例においては、踵ソール構造体と前足ソール構造体の両方に溝１００が形成されている。そのような実施例においては、踵ソール構造体１８Ａと前足ソール構造体４１６Ａが、第１の履物サイズを有する第１のアッパーに取り付けられる一方で、第２の踵ソール構造体１８Ｂと第２の前足ソール構造体４１６Ｂが、第１の履物サイズよりも大きい履物サイズを有する第２のアッパーに取り付けられる。
【手続補正６】
【補正対象書類名】明細書
【補正対象項目名】００５９
【補正方法】変更
【補正の内容】
【００５９】
図２５に示されているように、踵ソール構造体５１８Ａは、溝１００に沿ってトリムされた後、アッパー１２Ｃ（第３のアッパーという）に取り付けられる。アッパー１２Ｃは、第１の履物サイズよりも小さい（すなわち、アッパー１２Ａに対応する履物サイズよりも小さい）履物５１０Ａの第３の履物サイズに対応するサイズを有する。図２８に示されているように、後側エッジ２８と踵ソール構造体５１８Ａの前側端部２６Ｂとを隣接させるように、前足ソール構造体１６が踵ソール構造体５１８Ａの前方でアッパー１２Ｃに取り付けられると、履物５１０Ａが生成される。踵ソール構造体５１８Ｂはアッパー１２Ａに取り付けられる。図２９に示されているように、後側エッジ２８と踵ソール構造体５１８Ｂの前側エッジ２６Ａとを隣接させるように、同じ前足ソール構造体１６が踵ソール構造体５１８Ｂの前方でアッパー１２Ａに取り付けられると、履物５１０Ｂが生成される。図３０に示されているように、後側エッジ２８と踵ソール構造体５１８Ｃの前側エッジ２６とを隣接させるように、前足ソール構造体１６が踵ソール構造体５１８Ｃの前方でアッパー１２Ｂに取り付けられると、履物５１０Ｃが生成される。図２８に示される履物５１０Ａは、図２９に示される履物５１０Ｂの第２の履物サイズよりも小さい第３の履物サイズを有し、第２の履物サイズは図３０に示される履物５１０Ｃのサイズよりも小さい。例えば、米国の履物サイズの等級上で、第３の履物サイズは、第１の履物サイズよりも半サイズ（１／２サイズ）だけ小さい。このように、３つの異なるサイズの履物を製造するために、インベントリ５００から選択された同じ踵ソール構造体５１８が使用される。